(57)【要約】【課題】  画像の精度を落とさずに、ユーザによるズームの要求に応えることができる電子カメラ、カメラシステムおよび画像処理プログラムを提供すること。【解決手段】  光軸に近い部分の倍率がその周囲の倍率に比べて高い撮影光学系と、撮影光学系を介した被写体像を撮像して画像を生成する撮像部と、撮像部により生成された画像に対して歪み補正処理を施す画像処理部と、撮像部により生成された画像と画像処理部により歪み補正処理を施した画像とのいずれを表示する表示部と、表示部に表示された画像に対するユーザによる拡大指示と縮小指示との少なくとも一方を受け付ける指示受付部とを備え、指示受付部が指示を受け付けると、画像処理部は、指示に応じて、表示部に表示された画像を拡大または縮小するとともに、表示部に表示された画像に対して歪み補正処理を行う。【選択図】      図１
2005311875.tif 000002
【特許請求の範囲】
【請求項１】
光軸に近い部分の倍率がその周囲の倍率に比べて高い撮影光学系と、
前記撮影光学系を介した被写体像を撮像して画像を生成する撮像部と、
前記撮像部により生成された前記画像に対して歪み補正処理を施す画像処理部と、
前記撮像部により生成された前記画像と前記画像処理部により前記歪み補正処理を施した画像とのどちらかの画像を表示する表示部と、
前記表示部に表示された前記画像に対するユーザによる拡大指示と縮小指示との少なくとも一方を受け付ける指示受付部とを備え、
前記指示受付部が指示を受け付けると、前記画像処理部は、前記指示に応じて、前記表示部に表示された前記画像を拡大または縮小するとともに、前記表示部に表示された前記画像に対して歪み補正処理を行う
ことを特徴とする電子カメラ。
【請求項２】
請求項１に記載の電子カメラにおいて、
前記指示受付部は、前記撮像部により生成された前記画像と、前記画像処理部により前記歪み補正処理を施した前記画像とのうち、どちらの画像を前記表示部に表示するかを示すユーザ指示をさらに受け付ける
ことを特徴とする電子カメラ。
【請求項３】
請求項１に記載の電子カメラにおいて、
前記表示部は、前記撮像部により生成された前記画像のうち、一部の範囲の画像を表示する
ことを特徴とする電子カメラ。
【請求項４】
請求項３に記載の電子カメラにおいて、
前記指示受付部は、前記範囲を示すユーザ指示をさらに受け付け、
前記表示部は、前記指示受付部が指示を受け付けると、前記撮像部により生成された前記画像のうち、前記指示に応じた範囲の画像を表示する
ことを特徴とする電子カメラ。
【請求項５】
電子カメラとコンピュータとからなるカメラシステムであって、
光軸に近い部分の倍率がその周囲の倍率に比べて高い撮影光学系と、
前記撮影光学系を介した被写体像を撮像して画像を生成する撮像部と、
前記撮像部により生成された前記画像に対して歪み補正処理を施す画像処理部と、
前記撮像部により生成された前記画像と前記画像処理部により前記歪み補正処理を施した画像とのどちらかの画像を表示する表示部と、
前記表示部に表示された前記画像に対するユーザによる拡大指示と縮小指示との少なくとも一方を受け付ける指示受付部とを備え、
前記指示受付部が指示を受け付けると、前記画像処理部は、前記指示に応じて、前記表示部に表示された前記画像を拡大または縮小するとともに、前記表示部に表示された前記画像に対して歪み補正処理を行う
ことを特徴とするカメラシステム。
【請求項６】
請求項５に記載のカメラシステムにおいて、
前記指示受付部は、前記撮像部により生成された前記画像と、前記画像処理部により前記歪み補正処理を施した前記画像とのうち、どちらの画像を前記表示部に表示するかを示すユーザ指示をさらに受け付ける
ことを特徴とするカメラシステム。
【請求項７】
請求項５に記載のカメラシステムにおいて、
前記表示部は、前記撮像部により生成された前記画像のうち、一部の範囲の画像を表示する
ことを特徴とするカメラシステム。
【請求項８】
請求項７に記載のカメラシステムにおいて、
前記指示受付部は、前記範囲を示すユーザ指示をさらに受け付け、
前記表示部は、前記指示受付部が指示を受け付けると、前記撮像部により生成された前記画像のうち、前記指示に応じた範囲の画像を表示する
ことを特徴とするカメラシステム。
【請求項９】
請求項１から請求項４の何れか１項に記載の電子カメラによる画像処理をコンピュータで実現するための画像処理プログラム。
【請求項１０】
光軸に近い部分の倍率がその周囲の倍率に比べて高い撮影光学系と、
前記撮影光学系を介した被写体像を撮像して画像を生成する撮像部と、
前記撮像部により生成された前記画像に対して歪み補正処理を施すか否かを示すユーザ指示を受け付ける指示受付部と、
前記指示受付部が前記歪み補正処理を施すことを示す指示を受け付けると、前記撮像部により生成された前記画像に対して歪み補正処理を施す画像処理部と
を備えたことを特徴とする電子カメラ。
【発明の詳細な説明】
【技術分野】
【０００１】
本発明は、撮像により得られた画像を再生表示可能な電子カメラと、電子カメラとコンピュータとからなるカメラシステムと、電子カメラにより撮像された画像に対する画像処理をコンピュータで実現する画像処理プログラムとに関する。
【背景技術】
【０００２】
従来より、電子カメラによる撮影においては、光学ズームおよびディジタルズームの手法が知られている。光学ズームにおいては、電子カメラは倍率変更機構（いわゆる光学ズーム機構）を備え、光学系の倍率を変更することによりズームを実現する。
一方、ディジタルズームにおいては、電子カメラは前述した光学ズーム機構を備える代わりに、ソフトウェアによる画像処理を行ってズームを実現する（例えば、特許文献１参照）。このようなディジタルズームの手法は撮像により生成された画像の拡大および縮小の際にも用いられる。
【特許文献１】特開２０００−２３１１５３号公報
【発明の開示】
【発明が解決しようとする課題】
【０００３】
しかし、前述した光学ズームにおいては、光学ズーム機構を備えるために、装置が大型および複雑化する場合がある。また、ディジタルズームにおいては、装置の大型化および複雑化は回避することができるが、画像処理能力には限界があるため、画像の精度が落ちる場合がある。
本発明は、画像の精度を落とさずに、ユーザによるズームの要求に応えることができる電子カメラ、カメラシステムおよび画像処理プログラムを提供することを目的とする。
【課題を解決するための手段】
【０００４】
請求項１に記載の電子カメラは、光軸に近い部分の倍率がその周囲の倍率に比べて高い撮影光学系と、前記撮影光学系を介した被写体像を撮像して画像を生成する撮像部と、前記撮像部により生成された前記画像に対して歪み補正処理を施す画像処理部と、前記撮像部により生成された前記画像と前記画像処理部により前記歪み補正処理を施した画像とのどちらかの画像を表示する表示部と、前記表示部に表示された前記画像に対するユーザによる拡大指示と縮小指示との少なくとも一方を受け付ける指示受付部とを備え、前記指示受付部が指示を受け付けると、前記画像処理部は、前記指示に応じて、前記表示部に表示された前記画像を拡大または縮小するとともに、前記表示部に表示された前記画像に対して歪み補正処理を行うことを特徴とする。
【０００５】
請求項２に記載の電子カメラは、請求項１に記載の電子カメラにおいて、前記指示受付部は、前記撮像部により生成された前記画像と、前記画像処理部により前記歪み補正処理を施した前記画像とのうち、どちらの画像を前記表示部に表示するかを示すユーザ指示をさらに受け付けることを特徴とする。
請求項３に記載の電子カメラは、請求項１に記載の電子カメラにおいて、前記表示部は、前記撮像部により生成された前記画像のうち、一部の範囲の画像を表示することを特徴とする。
【０００６】
請求項４に記載の電子カメラは、請求項３に記載の電子カメラにおいて、前記指示受付部は、前記範囲を示すユーザ指示をさらに受け付け、前記表示部は、前記指示受付部が指示を受け付けると、前記撮像部により生成された前記画像のうち、前記指示に応じた範囲の画像を表示することを特徴とする。
請求項５に記載のカメラシステムは、電子カメラとコンピュータとからなるカメラシステムであって、光軸に近い部分の倍率がその周囲の倍率に比べて高い撮影光学系と、前記撮影光学系を介した被写体像を撮像して画像を生成する撮像部と、前記撮像部により生成された前記画像に対して歪み補正処理を施す画像処理部と、前記撮像部により生成された前記画像と前記画像処理部により前記歪み補正処理を施した画像とのどちらかの画像を表示する表示部と、前記表示部に表示された前記画像に対するユーザによる拡大指示と縮小指示との少なくとも一方を受け付ける指示受付部とを備え、前記指示受付部が指示を受け付けると、前記画像処理部は、前記指示に応じて、前記表示部に表示された前記画像を拡大または縮小するとともに、前記表示部に表示された前記画像に対して歪み補正処理を行うことを特徴とする。
【０００７】
請求項６に記載のカメラシステムは、請求項５に記載のカメラシステムにおいて、前記指示受付部は、前記撮像部により生成された前記画像と、前記画像処理部により前記歪み補正処理を施した前記画像とのうち、どちらの画像を前記表示部に表示するかを示すユーザ指示をさらに受け付けることを特徴とする。
請求項７に記載のカメラシステムは、請求項５に記載のカメラシステムにおいて、前記表示部は、前記撮像部により生成された前記画像のうち、一部の範囲の画像を表示することを特徴とする。
【０００８】
請求項８に記載のカメラシステムは、請求項７に記載のカメラシステムにおいて、前記指示受付部は、前記範囲を示すユーザ指示をさらに受け付け、前記表示部は、前記指示受付部が指示を受け付けると、前記撮像部により生成された前記画像のうち、前記指示に応じた範囲の画像を表示することを特徴とする。
請求項９に記載の画像処理プログラムは、請求項１から請求項４のいずれか１項に記載の電子カメラによる画像処理をコンピュータで実現することを特徴とする。
【０００９】
請求項１０に記載の電子カメラは、光軸に近い部分の倍率がその周囲の倍率に比べて高い撮影光学系と、前記撮影光学系を介した被写体像を撮像して画像を生成する撮像部と、前記撮像部により生成された前記画像に対して歪み補正処理を施すか否かを示すユーザ指示を受け付ける指示受付部と、前記指示受付部が前記歪み補正処理を施すことを示す指示を受け付けると、前記撮像部により生成された前記画像に対して歪み補正処理を施す画像処理部とを備えたことを特徴とする。
【発明の効果】
【００１０】
本発明によれば、画像の精度を落とさずに、ユーザによるズームの要求に応えることができる。
【発明を実施するための最良の形態】
【００１１】
＜第１実施形態＞
以下、図面を用いて、本発明の第１実施形態について詳細な説明を行う。
図１は、本発明の第１実施形態における電子カメラ１の機能ブロック図である。
電子カメラ１は、図１に示すように、撮像部１０、制御部１１、画像処理部１２、表示処理部１３を備えていると共に、メモリカード(カード状のリムーバブルメモリ)１４とのインタフェースをとるメモリカード用インタフェース部１５を備えており、これらはバスを介して相互に接続されている。
【００１２】
なお、撮像部１０は、不図示のレンズ、被写体の明るさや撮影距離などを測定する各種センサ、撮像素子、Ａ／Ｄ変換器などを備える。撮像部１０の不図示のレンズは、光軸に近い部分の倍率がその周囲の倍率に比べて高い、いわゆる魚眼レンズである。本実施形態では、魚眼レンズとして、１８０度を画面の対角線に対応させて、矩形画面一杯に外景を写し込む「対角線魚眼レンズ」を用いる。以下、単に「魚眼レンズ」と称する。
【００１３】
また、電子カメラ１は、操作部２０と液晶モニタ２５とを備える。図１において、操作部２０の出力は制御部１１に接続され、液晶モニタ２５には表示処理部１３の出力が接続される。なお、操作部２０は、不図示の電源ボタン、レリーズボタン、後述するユーザ操作にかかわる十字キーなどを含む。
また、制御部１１は、不図示のメモリを備え、制御プログラムなどを予め記録する。
【００１４】
なお、本実施形態の電子カメラ１は、通常の画像を撮影する「通常モード」の他に、魚の眼から水上の景色を眺めたような画像を撮影する「魚眼レンズモード」を備える。
なお、撮像部の不図示の魚眼レンズは、請求項の「光軸に近い部分の倍率がその周囲の倍率に比べて高い撮影光学系」に対応し、撮像部１０、制御部１１は、請求項の「撮像部」に対応する。また、制御部１１、画像処理部１２は、請求項の「画像処理部」に対応し、制御部１１、表示処理部１３、液晶モニタ２５は、請求項の「表示部」に対応し、制御部１１、操作部２０は、請求項の「指示受付部」に対応する。
【００１５】
以上説明したような構成の電子カメラ１において、操作部２０の不図示の電源ボタンが操作されると、制御部１１はこれを検知し、動作を開始する。
まず、撮影時の電子カメラ１の動作について説明する。
（１）通常モード
操作部２０の不図示の十字キーなどにより通常モードが選択されると、制御部１１は、これを検知して、各部に撮影待機の指示を行う。具体的には、撮像部１０を介して画像の撮像を連続的に行い、撮像により得られた画像に対して、画像処理部１２で所定の画像処理を行い、画像処理後の画像を、表示処理部１３を介して液晶モニタ２５に表示する。このように表示される画像は、ユーザによる構図確認に用いられるいわゆるスルー画像である。
【００１６】
ここで、画像処理部１２が行う画像処理について説明する。電子カメラ１は、前述したように、撮像部１０に魚眼レンズを備える。したがって、撮像により生成される画像は、図２Ａに示すように、矩形画面一杯に外景が写し込まれ、歪んだ画像である。ちなみに、図２Ｂは同じ被写体を通常の撮影レンズを介して撮像した画像である。画像処理部１２は、図２Ａに示す撮像により生成された画像のうち、図３Ａの破線Ａで囲まれた部分の画像に対して歪み補正処理を行い、通常の撮影レンズを介した撮像により生成された画像と同様に歪みのない矩形の画像を生成する。なお、この画像はスルー画像として用いられる画像であるため、精度は低くて良く、代わりに処理速度を重視するのが好ましい。
【００１７】
すなわち、電子カメラ１は、スルー画像の表示において、撮像部１０により生成された画像のうち、一部の範囲の画像を表示する。
通常モードにおける撮影待機状態で、操作部２０の不図示のレリーズボタンが押圧されると、制御部１１は、これを検知し、撮像部１０を介して被写体像の撮像を行い、生成された画像に対して、画像処理部１２を介して所定の画像処理を施す。そして、画像処理を施した画像を、メモリカード用インタフェース部１５を介してメモリカード１４に記録するとともに、表示処理部１３を介して液晶モニタ２５に表示する。このように、撮影直後に液晶モニタ２５に表示される画像を、以下では「クイックビュー画像」と称する。また、画像処理を施した画像を記録する際には、画像処理を施す前の画像も対応づけて記録する。この画像処理を施す前の画像を、以下では「元画像」と称する。元画像は図２Ａに示す画像に対応する。
【００１８】
前述したように、撮影待機状態におけるスルー画像の表示では、撮像部１０により生成された画像のうち、一部の範囲の画像を液晶モニタ２５に表示する。しかし、操作部２０の不図示のレリーズボタンが押圧された場合、制御部１１は、液晶モニタ２５に表示された範囲ではなく、撮像部１０の不図示の撮像素子の全面を使用して撮像を行う。したがって、撮像により得られる元画像は、前述したスルー画像の場合と同様に、図２Ａに示す画像となる。
【００１９】
さらに、画像処理部１２では、前述したスルー画像の場合と同様に、図２Ａに示す元画像のうち、図３Ａの破線Ａで囲まれた部分の画像に対して歪み補正処理を行い、通常の撮影レンズを介した撮像により生成された画像と同様に歪みのない矩形の画像を生成する。なお、この画像は記録する画像として用いられる画像であるため、処理速度が遅くとも精度を重視するのが好ましい。
【００２０】
（２）魚眼レンズモード
操作部２０の不図示の十字キーなどにより魚眼レンズモードが選択されると、制御部１１は、これを検知して、各部に撮影待機の指示を行う。具体的には、撮像部１０を介して画像の撮像を連続的に行い、図２Ａに示す撮像により生成された画像のうち、図３Ｂの破線Ｃで囲まれた部分の画像を、歪み補正を行わずに、表示処理部１３を介して液晶モニタ２５に表示する。このように表示されるスルー画像は、歪んだ画像である。ユーザは魚の眼から水上の景色を眺めたような画像を撮影したい場合にこのモードを選択する。
【００２１】
すなわち、電子カメラ１は、スルー画像の表示において、撮像部１０により生成された画像のうち、一部の範囲の画像を表示する。
魚眼レンズモードにおける撮影待機状態で、操作部２０の不図示のレリーズボタンが押圧されると、制御部１１は、これを検知し、撮像部１０を介して被写体像の撮像を行い、生成された画像に対して、画像処理部１２を介して所定の画像処理を施す。そして、画像処理を施した画像を、メモリカード用インタフェース部１５を介してメモリカード１４に記録するとともに、表示処理部１３を介して液晶モニタ２５に表示する。このように、撮影直後に液晶モニタ２５に表示される画像は、クイックビュー画像である。また、画像処理を施した画像を記録する際には、元画像も対応づけて記録する。
【００２２】
前述したように、撮影待機状態におけるスルー画像の表示では、撮像部１０により生成された画像のうち、一部の範囲の画像を液晶モニタ２５に表示する。しかし、操作部２０の不図示のレリーズボタンが押圧された場合、制御部１１は、液晶モニタ２５に表示された範囲ではなく、撮像部１０の不図示の撮像素子の全面を使用して撮像を行う。したがって、撮像により得られる元画像は、前述したスルー画像の場合と同様に、図２Ａに示す画像となる。
【００２３】
さらに、画像処理部１２では、前述したスルー画像の場合と同様に、図２Ａに示す元画像のうち、図３Ｂの破線Ｃで囲まれた部分の画像を、歪み補正を行わずに、表示処理部１３を介して液晶モニタ２５に表示する。
次に、画像再生時の電子カメラ１の動作について説明する。
ユーザにより画像の再生が指示されると、制御部１１はこれを検知し、メモリカード用インタフェース部１５を介してメモリカード１４から画像を読み出し、表示処理部１３を介して液晶モニタ２５に表示する。このとき、表示する画像は、前述したクイックビュー画像と同じ画像である。そして、制御部１１は、再生対象の画像が通常モードと魚眼レンズモードとのいずれで撮影された画像かを認識し、モードに応じた処理を行う。以下では、本実施形態の特徴である画像再生時の拡大または縮小操作時の動作について、説明する。
【００２４】
（１）通常モード
制御部１１は、操作部２０を介して、ユーザによる拡大指示または縮小指示が行われると、画像を拡大または縮小する。
拡大指示が行われた場合、制御部１１はこれを検知し、メモリカード用インタフェース部１５を介してメモリカード１４から元画像を読み出す。そして、図２Ａに示す元画像のうち、図３Ａの破線Ｂで囲まれた部分の画像に対して歪み補正処理を行い、通常の撮影レンズを介した撮像により生成された画像と同様に歪みのない矩形の画像を生成する。図３Ａの破線Ｂで囲まれた部分の画像は、撮像時の倍率が周辺よりも高いので、通常のレンズを介して撮像した画像に比べて画素数が多く、拡大しても高精度な画像を得ることができる。
【００２５】
一方、縮小指示が行われた場合、制御部１１はこれを検知し、メモリカード用インタフェース部１５を介してメモリカード１４から元画像を読み出す。そして、図２Ａに示す元画像の全体に対して歪み補正処理を行い、通常の撮影レンズを介した撮像により生成された画像と同様に歪みのない矩形の画像を生成する。図２Ａに示す元画像の全体を使用することにより、スルー画像およびクイックビュー画像には現れなかった部分の画像を得ることができる。
【００２６】
（２）魚眼レンズモード
制御部１１は、操作部２０を介して、ユーザによる拡大指示または縮小指示が行われると、画像を拡大または縮小する。
拡大指示が行われた場合、制御部１１はこれを検知し、メモリカード用インタフェース部１５を介してメモリカード１４から元画像を読み出す。そして、図２Ａに示す元画像を用いて、画像の拡大を行う。画像の拡大は従来の技術と同様に行うため説明を省略する。
【００２７】
一方、縮小指示が行われた場合、制御部１１はこれを検知し、メモリカード用インタフェース部１５を介してメモリカード１４から元画像を読み出す。そして、図２Ａに示す元画像の全体を使用することにより画像の拡大を行う。図２Ａに示す元画像の全体を使用することにより、スルー画像およびクイックビュー画像には現れなかった部分の画像を得ることができる。
【００２８】
以上説明したように、第１実施形態によれば、光軸に近い部分の倍率がその周囲の倍率に比べて高い撮影光学系を介した被写体像を撮像して画像を生成する。そして、生成された画像に対して歪み補正処理を施すとともに、歪み補正処理を施した画像を表示する。さらに、表示された画像に対するユーザによる拡大指示と縮小指示との少なくとも一方を受け付けると、指示に応じて、表示された画像を拡大または縮小するとともに、歪み補正処理を行う。したがって、撮像時においても、画像再生時においても、画像の精度を落とさずに、ユーザによるズームの要求に応えることができる。
【００２９】
また、第１実施形態によれば、ユーザによる通常モードと魚眼レンズモードとのいずれの選択を、撮像部により生成された画像と歪み補正処理を施した画像とのうち、どちらの画像を表示するかを示すユーザ指示として受け付ける。したがって、通常モードにおいては歪みのない画像を表示し、魚眼レンズモードにおいては歪みのある画像を表示することができるので、ユーザの要求に応じた画像を液晶モニタ２５に表示することができる。
【００３０】
また、第１実施形態によれば、撮像部により生成された画像のうち、一部の範囲の画像を表示する。したがって、ユーザは表示されたこの画像に対して縮小を指示すると、撮影時のスルー画像および撮影直後のクイックビュー画像には現れなかった部分の画像を得ることができる。例えば、植物や昆虫などを接写した場合など、撮影後に周辺の環境を確認する場合に有用である。
【００３１】
また、第１実施形態によれば、ユーザにより通常モードが選択されると、撮像により得られた画像に対して、歪み補正処理を施し、ユーザにより魚眼レンズモードが選択されると、撮像により得られた画像に対して、歪み補正処理を施さない。したがって、レンズの交換を行うことなく、通常の撮影による画像と魚眼レンズによる画像とを得ることができる。
【００３２】
なお、本実施形態では、通常モードでは図３Ａの破線Ａに示す範囲をスルー画像およびクイックビュー画像として使用し、魚眼レンズモードでは図３Ｂの破線Ｃに示す範囲の画像をスルー画像およびクイックビュー画像として使用する例を示したが。この範囲はこの例に限定されない。また、この範囲をユーザにより指定可能にしても良い。
また、通常モードにおいて拡大指示が行われた場合に、図３Ａの破線Ｂの範囲の画像を使用し、縮小指示が行われた場合に画像全体を使用する例を示したが、この範囲はこの例に限定されない。また、この範囲をユーザにより指定可能にしても良い。また、範囲を拡大および縮小の倍率に応じて連続的に変更するようにしても良い。
【００３３】
さらに、スルー画像およびクイックビュー画像として表示する範囲を独立に決めるようにしても良い。
＜第２実施形態＞
以下、図面を用いて本発明の第２実施形態について説明する。第２実施形態は、電子カメラとコンピュータとからなるカメラシステムの実施形態である。
【００３４】
図４は、第２実施形態のカメラシステム５０の機能ブロック図である。
カメラシステム５０は、電子カメラ６０とコンピュータ１００とからなる。電子カメラ６０は、第１実施形態の電子カメラ１の撮像部１０と同様の撮像部６１、第１実施形態の電子カメラ１の制御部１１と同様の制御部６２を備えるとともに、コンピュータ１００とのインタフェースをとる外部インタフェース部６３を備える。
【００３５】
また、コンピュータ１００は、制御部１１１、画像処理部１１２、表示処理部１１３、操作部１２０、モニタ１２５を備えるとともに、電子カメラ６０とのインタフェースをとる外部インタフェース部１３０を備える。制御部１１１には、本発明の画像処理プログラムが予め記録されている。コンピュータ１００は、この画像処理プログラムにしたがって、画像処理を行う。また、電子カメラ６０の制御部６２は、コンピュータ１００の制御部１１１の指示にしたがって、電子カメラ６０の各部を制御する。
【００３６】
コンピュータ１００の制御部１１１は、外部インタフェース部１３０および外部インタフェース部６３を介して、電子カメラ６０の制御部６２を制御して撮像を行い、撮像により得られた画像データを取得し、操作部１２０を介したユーザの指示にしたがって、表示処理部１１３を介してモニタ１２５に画像を表示する。各処理の具体的な方法については第１実施形態と同様であるため、説明を省略する。
【００３７】
以上説明したように、第２実施形態によれば、コンピュータ１００を用いた遠隔操作が可能なカメラシステムにおいても、第１実施形態と同様の効果を得ることができる。
なお、本実施形態では、電子カメラ６０には、撮像部６１、制御部６２、外部インタフェース部６３のみを備える例を示したが、例えば、操作部や画像処理部などを電子カメラに備えるようにしても良い。
【００３８】
また、第１実施形態で説明した電子カメラ１をコンピュータと接続し、電子カメラ１により得られた画像データを取得し、操作部１２０を介したユーザの指示にしたがって、第１実施形態と同様の処理を行うようにしても良い。ただし、画像データを取得する際には、撮像により得られた画像データ（処理対象の画像）とともに、その画像が撮像された際の撮影条件として、撮影時に選択された撮影モード（通常モードまたは魚眼レンズモード）、レンズ情報などを取得する。なお、撮影条件は例えばＥＸＩＦなどのファイルフォーマットを用いて、画像データの付帯情報として記録しておいても良い。
【００３９】
また、第１実施形態では電子カメラを用いて説明を行い、第２実施形態では、電子カメラとコンピュータとからなるカメラシステムを用いて説明を行ったが、電子カメラを組み合わせて使用する顕微鏡や検査装置などに、本発明を適用しても良い。また、動画を撮影可能な電子カメラに本発明を適用しても良い。
また、上記各実施形態では、電子カメラのレンズとして、対角魚眼レンズを用いて説明を行ったが、全周魚眼（円像魚眼）レンズを用いても良い。また、他の中心窩レンズを用いても良い。また、光学ズーム機構を備えた電子カメラに適用しても良い。
【図面の簡単な説明】
【００４０】
【図１】第１実施形態における電子カメラ１の構成を示すブロック図である。
【図２】電子カメラ１により得られる画像を説明する図である。
【図３】電子カメラ１により得られる画像を説明する図である。
【図４】第２実施形態のカメラシステム５０の機能ブロック図である。
【符号の説明】
【００４１】
１，６０  電子カメラ
１０，６１  撮像部
１１，６２，１１１  制御部
１２，１１２  画像処理部
１３  表示処理部
１４  メモリカード
１５  メモリカード用インタフェース部
２０，１２０  操作部
２５  液晶モニタ
５０  カメラシステム
６３，１３０  外部インタフェース部
１００  コンピュータ
１２５  モニタ
【図１】
2005311875.tif 000003
【図２】
2005311875.tif 000004
【図３】
2005311875.tif 000005
【図４】
2005311875.tif 000006